(57)【特許請求の範囲】
【請求項１】
モーメンタリ動作型のスイッチと、
前記スイッチの操作時間を計測する操作時間計測手段と、
前記スイッチの操作時間に対応する制御信号を記述したデータを格納する記憶手段と、
前記操作時間計測手段で計測された前記スイッチの操作時間を前記記憶手段に格納された前記データと照合して、前記操作時間に対応する制御信号を制御対象の装置に出力する演算手段を備え、
前記演算手段は、
前記データに基づいて、
前記操作時間が第１の閾値以下である場合には、前記制御対象の状態を事前に設定された有限個の段階のいずれかに設定する制御信号を出力し、
前記操作時間が前記第１の閾値より大きく、かつ第２の閾値以下である場合には、前記制御対象の状態を０％出力と１００％出力のいずれかに設定する制御信号を出力し、
前記操作時間が前記第２の閾値より大きい場合には、前記制御対象の状態を前記操作時間に応じて無段階に変更する制御信号を出力する
制御装置。
【請求項２】
前記演算手段は、前記操作時間が前記第１の閾値以下である場合には、前記スイッチが操作される度に、前記制御対象の状態を１段階ずつサイクリックに変更する制御信号を出力する
ことを特徴とする請求項１に記載の制御装置。
【請求項３】
請求項１に記載の制御装置と、
前記制御装置によって点灯状態が制御される光源装置を備え、
前記演算手段は、
前記操作時間が第１の閾値以下である場合には、前記光源装置の点灯状態を事前に設定された有限個の段階のいずれかに設定する制御信号を出力し、
前記操作時間が前記第１の閾値より大きく、かつ第２の閾値以下である場合には、前記光源装置の点灯状態を消灯状態と１００％点灯状態のいずれかに設定する制御信号を出力し、
前記操作時間が前記第２の閾値より大きい場合には、前記光源装置の点灯状態を前記操作時間に応じて無段階に変更する制御信号を出力する
照明器具。
【請求項４】
前記演算手段は、前記操作時間が前記第１の閾値以下である場合には、前記スイッチが操作される度に、前記光源装置の点灯状態を１段階ずつサイクリックに変更する制御信号を出力する
ことを特徴とする請求項３に記載の照明器具。
【発明の詳細な説明】
【技術分野】
【０００１】
本発明は、スイッチの操作時間または操作回数あるいは操作時間と操作回数の組み合わせによって制御対象の装置を所望の状態に切り替える制御装置、および前記制御装置を備える照明器具に関する。
【背景技術】
【０００２】
プルスイッチを操作して点灯状態（全点灯、一部点灯、常夜灯点灯、全消灯など）を切り替えるようにした照明器具が知られている（例えば、特許文献１）。プルスイッチとは、スイッチ本体から垂下する引き紐で操作するスイッチである。特許文献１のプルスイッチは、引き紐を１回引くと所定の角度だけ回転する回転接触子と、回転接触子の回りに環状に配置された複数の接点を備えて、引き紐を１回引く度に、回転接触子に接触する接点が切り替わるように構成されている（特許文献１  図９〜図１３）。
【特許文献１】特開２００７−３３５４１５号公報
【発明の開示】
【発明が解決しようとする課題】
【０００３】
しかしながら、プルスイッチに取り付けられる接点の数には限りがあるので、切り替えられる点灯状態が限られるという問題があった。そのため、照明器具の明るさ等をきめ細かく調整することができなかった。
【０００４】
本発明は、このような背景に鑑みてなされたものであり、簡単なスイッチ操作で、制御対象の装置の状態を様々に切り替えられる制御装置、および前記制御装置を備える照明器具を提供するものである。
【課題を解決するための手段】
【０００５】
本発明に係る制御装置は、モーメンタリ動作型のスイッチと、前記スイッチの操作時間を計測する操作時間計測手段と、前記スイッチの操作時間に対応する制御信号を記述したデータを格納する記憶手段と、前記操作時間計測手段で計測された前記スイッチの操作時間を前記記憶手段に格納された前記データと照合して、前記操作時間に対応する制御信号を制御対象の装置に出力する演算手段を備え、前記演算手段は、前記データに基づいて、前記操作時間が第１の閾値以下である場合には、前記制御対象の状態を事前に設定された有限個の段階のいずれかに設定する制御信号を出力し、前記操作時間が前記第１の閾値より大きく、かつ第２の閾値以下である場合には、前記制御対象の状態を０％出力と１００％出力のいずれかに設定する制御信号を出力し、前記操作時間が前記第２の閾値より大きい場合には、前記制御対象の状態を前記操作時間に応じて無段階に変更する制御信号を出力するものである。
【発明の効果】
【０００９】
本発明によれば、スイッチの操作時間に対応する制御信号を制御対象の装置に出力するので、簡単なスイッチ操作で、制御対象の装置の状態を様々に切り替えることができる。また、簡単なスイッチ操作で、照明器具の点灯状態をを様々に切り替えることができる。
【発明を実施するための最良の形態】
【００１０】
以下、本発明を実施するための最良の形態について説明する。
【００１１】
図１は、本発明に係る照明器具の概念的な構成を示す構成図である。図１に示すように、照明器具１は、主灯（蛍光ランプ）２、常夜灯（小型白熱灯）３、点灯回路４及び制御装置５から構成される。
【００１２】
点灯回路４は、制御装置５の制御信号に従って、主灯２あるいは常夜灯３を所望の状態（全点灯、一部点灯、常夜灯点灯、全消灯など）で点灯する電子回路であり、整流回路、インバータ装置などから構成される。
【００１３】
制御装置５は、プルアップ抵抗６、スイッチ７、計測装置８、演算装置９、記憶装置１０を備える。
【００１４】
プルアップ抵抗６とスイッチ７は直列に接続されて、信号電源の高電位側１１と低電位側１２の間に架け渡され、プルアップ抵抗６とスイッチ７の間の端子１３は、計測装置８に接続されている。したがって、スイッチ７が開いている間は、端子１３の電位は高電位になり、スイッチ７が閉じると、端子１３の電位は低電位になる。
【００１５】
また、計測装置８は、スイッチ７の操作時間、つまり、端子１３の電位が低電位になった時間を計測する装置である。なお、スイッチ７は、モーメンタリ動作型、つまり外部から力が加わっている間は閉じて、力を除去すると開くタイプのスイッチを選ぶ。
【００１６】
演算装置９は、計測装置８で計測されたスイッチ７の操作時間を、記憶装置１０に記憶された制御規則と照合して、スイッチ７の操作パターンに対応する制御命令を点灯回路４に出力するコンピュータである。
【００１７】
また、記憶装置１０に記憶される制御規則は、下記の３規則から構成される。
【００１８】
スイッチ７の操作時間Ｔが、Ｔ≦Ｔ１ならば、スイッチ７が操作される度に、照明器具１の点灯状態を１段階ずつ、サイクリック（例えば、全消灯→主灯１００％点灯→主灯６０％点灯→主灯３０％→主灯消灯、常夜灯点灯→全消灯→‥‥）に変更する（第１規則）。
【００１９】
スイッチ７の操作時間Ｔが、Ｔ１＜Ｔ≦Ｔ２ならば、スイッチ７が操作される度に、照明器具１の点灯状態を全消灯と主灯１００％点灯の間で交互（例えば、全消灯→主灯１００％点灯→全消灯）に変更する（第２規則）。
【００２０】
スイッチ７の操作時間Ｔが、Ｔ２＜Ｔならば、スイッチ７が操作される間は、主灯の明るさを無段階で変更する（第３規則）。
【００２１】
図２は、制御演算装置９で実行される制御プログラムの概念的なフローチャートである。図２に示すように、スイッチ７が操作されて、端子１３の電位が低電位になると、制御プログラムが実行され、同時に、スイッチ７の操作時間Ｔの計測を開始（ステップ１）する。スイッチ７の操作時間ＴがＴ１以下で終了したら、前記第１規則を実行して、その後、制御プログラムを終了する（ステップ２，３）。スイッチ７の操作時間Ｔが、Ｔ１を越えてＴ２以下で終了したら、前記第２規則を実行して、その後、制御プログラムを終了する（ステップ４，５）。スイッチ７の操作がさらに継続して、操作時間ＴがＴ２を越えたら、前記第３規則を実行する（ステップ６）。そして、スイッチ７の操作が終了したら、制御プログラムを終了する（ステップ７）。
【００２２】
図３ないし図５は、スイッチ７の操作と照明器具１の点灯状態の関係を示すタイミングチャートである。
【００２３】
図３に示すように、Ｔ１以下の短時間のスイッチ操作が繰り返されると、スイッチ操作が終了（低電位から高電位に切り替わる）すると同時に、照明器具１の点灯状態が、全消灯→主灯１００％点灯→主灯６０％点灯→主灯３０％→主灯消灯、常夜灯点灯→全消灯の順に切り替わる。
【００２４】
スイッチ７の操作時間が、Ｔ１を超えてＴ２以下になるように操作すると、図４に示すように、スイッチ７の操作が終了（低電位から高電位に切り替わる）すると同時に、照明器具１は、主灯１００％点灯と全消灯を切り替える。
【００２５】
また、図５に示すように、スイッチ７の操作時間がＴ２を超えると、前記第３規則が実行されるので、照明器具１の主灯の明るさは、１００％から０％（消灯）へ漸減する。また、照明器具１の主灯の明るさが０％に達すると、主灯の明るさは漸増して１００％に向かう。このように、スイッチ７が操作している間、主灯の明るさは漸増と漸減を繰り返す。なお、スイッチ７を元に戻すと、以後、その明るさが維持される。
【００２６】
スイッチ７の操作時間に代えて、スイッチ７の操作回数を計測装置８で計測して、操作回数に応じて、照明器具の点灯状態（全点灯、一部点灯、常夜灯点灯、全消灯など）を切り替えるようにしてもよい。また、スイッチ７の操作時間と操作回数を計測装置８で計測して、操作時間と操作回数の組合せに応じて、照明器具の点灯状態（全点灯、一部点灯、常夜灯点灯、全消灯など）を切り替えるようにすれば、複雑な制御が可能になる。
【００２７】
なお、本実施形態では、本発明の制御装置を照明器具に適用した例を示したが、本発明の制御装置の制御対象はこれに限られない。本発明は各種の電気機械器具、家庭電化製品等の制御装置として応用できることはいうまでもない。
【図面の簡単な説明】
【００２８】
【図１】本発明に係る照明器具の概念的な構成を示す構成図である。
【図２】本発明に係る制御装置の概念的な構成を示す構成図である。
【図３】前記制御装置の制御プログラムの概念的なフローチャートである。
【図４】スイッチの操作と照明器具の点灯状態の関係を示すタイミングチャートである。
【図５】スイッチの操作と照明器具の点灯状態の関係を示すタイミングチャートである。
【図６】スイッチの操作と照明器具の点灯状態の関係を示すタイミングチャートである。
【符号の説明】
【００２９】
１  照明器具
２  主灯（蛍光ランプ）
３  常夜灯（小型白熱灯）
４  点灯回路
５  制御装置
６  プルアップ抵抗
７  スイッチ
８  計測装置
９  演算装置
１０  記憶装置
１１  高電位側
１２  低電位側
１３  端子
【図１】
0005163285.tif 000002
【図２】
0005163285.tif 000003
【図３】
0005163285.tif 000004
【図４】
0005163285.tif 000005
【図５】
0005163285.tif 000006
【図６】
0005163285.tif 000007